(57)【特許請求の範囲】
【請求項１】
複数の用紙が重ねられ、前記複数の用紙の端部の支持部により前記複数の用紙がめくられて回転可能に支持された回転式カレンダーであって、各用紙の一面にはそれぞれ横方向に伸長する複数の段が設けられ、前記複数の段は、用紙の上下方向に比較的大きなスペースを占める主表示部に属する段と前記上下方向に比較的小さなスペースを占める副表示部に属する段を含み、前記主表示部には、月の一部が表示され、前記副表示部には、当該月の他の部分が表示され、前記主表示部の用紙の上下方向の長さが前記副表示部の上下方向の長さより、２．５倍以上長い回転式カレンダー。
【請求項２】
複数の用紙が重ねられ、前記複数の用紙の端部の支持部により前記複数の用紙がめくられて回転可能に支持された回転式カレンダーであって、各用紙の一面にはそれぞれ横方向に伸長する複数の段からなる主表示部と副表示部が設けられ、１枚の用紙の主表示部には、月の前半又は後半が、それぞれが３段以下で表示され、上記１枚の用紙の副表示部には、当該月の後半又は前半が、それぞれが３段以下で表示され、前記主表示部の用紙の上下方向の長さが前記副表示部の上下方向の長さより、２．５倍以上長い回転式カレンダー。
【請求項３】
前記複数の用紙が少なくとも１２枚あり、この１２枚の用紙の最初の用紙の主表示部には１月の一部又は前半が表示され、その下部の副表示部には１月の他の部分又は後半が表示され、その下の用紙の副表示部には１月の一部又は前半が表示され、その下部の主表示部に１月の他の部分又は後半が表示され、その下の用紙の主表示部には２月の一部又は前半が表示され、その下部の副表示部には２月の他の部分又は後半が表示され、順次同様のパターンで各用紙に表示され、１２枚目の用紙の副表示部には６月の一部又は前半が表示され、その下部の主表示部には６月の他の部分又は後半が表示され、１２枚目の用紙の裏面の主表示部には７月の一部又は前半が表示され、その下部の副表示部には７月の他の部分又は後半が表示され、順次同様のパターンで各用紙に表示され、前記最初の用紙の裏面の副表示部には１２月の一部又は前半が表示され、その下部の主表示部には１２月の他の部分又は後半が表示されることを特徴とする請求項１又は２に記載の回転式カレンダー。
【請求項４】
前記複数の用紙が少なくとも２４枚あり、この２４枚の用紙の最初の用紙の主表示部には１月の一部又は前半が表示され、その下部の副表示部には１月の他の部分又は後半が表示され、その直ぐ下の用紙の副表示部には１月の一部又は前半が表示され、その下部の主表示部に１月の他の部分又は後半が表示され、その直ぐ下の用紙の主表示部には２月の一部又は前半が表示され、その下部の副表示部には２月の他の部分又は後半が表示され、順次同様のパターンで各用紙に表示され、２４枚目の用紙の副表示部には１２月の一部又は前半が表示され、その下部の主表示部には１２月の他の部分又は後半が表示されることを特徴とする請求項１又は２に記載の回転式カレンダー。
【請求項５】
前記主表示部及び／又は前記副表示部の当該月の日にちが表示されていない部分に、当該月の前月及び／又は翌月の日にちを併せて表示したことを特徴とする請求項１から４のいずれか１つに記載の回転式カレンダー。
【請求項６】
前記主表示部の各段の横であって、当該用紙の余白部分に、当該段が年間における何週目を表示しているのかを示す文字、記号、図形、標識のいずれかを表示したことを特徴とする請求項１から５のいずか１つに記載の回転式カレンダー。
【請求項７】
前記各用紙の端部にその用紙の主表示部がどの月の前半あるいは後半を示しているのかを示すインデックスを設けたことを特徴とする請求項１から６のいずれか１つに記載の回転式カレンダー。
【請求項８】
前記インデックスが月を示す数字と、前半か後半を示す文字、記号、図形、標識のいずれかを含ことを特徴とする請求項７に記載の回転式カレンダー。
【発明の詳細な説明】
【技術分野】
【０００１】
本発明は、回転式カレンダーに関し、特に壁掛け用カレンダーあるいは卓上用カレンダーに適した回転式カレンダーの改良に関する。
【背景技術】
【０００２】
壁掛け用カレンダーあるいは卓上用カレンダーに適した回転式カレンダーは、複数枚の用紙が例えばスパイラル状、あるいは複数のリング状の支持部を中心に回転可能に綴じられ、例えば翌月の表示部分を見るときや、当月が終了したときなどに用紙をめくり上げて回転させ、次の用紙を表示させるよう構成されている。しかし、かかる回転式カレンダーでは、１枚の用紙に１ヶ月分を例えば、５段などで表示することが一般的であり、そのため各日にち部分のスペースが限られ、予定などをメモとして記入するスペースが十分にとれないという問題があった。
【０００３】
そこで、１枚の用紙に１ヶ月分すべての日にちを表示するのではなく、例えば月の前半あるいは後半など、1ヶ月の一部のみの日にちを表示するようにして、各日にち当たりのスペースをより大きくしたカレンダーが開発され、市販されている。このように１ヶ月の一部のみを、例えば３段で表示するようにした場合、１日当たりのスペースは１枚に１ヶ月全体を表示するものに比べると大きくとれて、予定などのメモを記入するエリアが大きいので使い勝手がよい。また、下記の特許文献１には、システム手帳が開示され、手帳の中央リング部の左のページに１週間分を表示し、右のページの次の１週間分を表示する例（図１）や、同じく左ページに1ヶ月の月、火、水の日にち表示し、右ページに木〜日の日にちを表示する例（図９）などを開示している。このように特許文献１は、一ヶ月の１部を１枚の用紙に表示することを開示している。下記の特許文献２は、ポータブルダイアリーを開示し、月のある週のみを表示し、かつその表示された週が、当該月の何週目であるかを分かり易くするために、用紙の左端に当該月の全週を表示し、かつ当該週を枠で囲んで表示することを開示している（図１）。下記の特許文献３は、保存式記録カレンダーを開示し、１枚の用紙に１ヶ月分あるいは２ヶ月分のカレンダーを印刷し、これを上下、左右に折り畳んで、元の用紙の４分の１の大きさとし、その状態で、１週間（図７）あるいは半月（図５）を表示する構成を開示している。また、１枚の用紙を２つ折りにする例（図６）も開示している。下記の特許文献４は、卓上カレンダーを開示し、用紙の上部に月の前半を用紙の下部に月の後半を表示し、上部と下部とを間のミシン目で折り畳む構成を開示している（図１a）。月の後半となったとき、前半部分を折り畳むと、月の後半が同じ位置に表示され、かつ翌月の前半が上部に表示される（図１ｂ）。
【先行技術文献】
【特許文献】
【０００４】
【特許文献１】特許第４７４２１５７号公報（図１、図９）
【特許文献２】実用新案登録２５７４０１４号公報（図１）
【特許文献３】実用新案登録第３０４９４９８号公報（図１、図２、図７（Ａ））
【特許文献４】実用新案登録第３１２２１８８号公報（図１（ａ）、（ｂ））
【発明の概要】
【発明が解決しようとする課題】
【０００５】
しかし、上記月の一部のみを１枚の用紙に表示する方式の回転式カレンダーでは、月の前半のとき、月の前半は表示され、予定などを記入したり、記入済みの予定などを見ることができるが、その月の後半を見るためには、現在の用紙をめくり上げて、現在の用紙の下にある用紙を見る必要があり、使い勝手が悪いという問題があった。また、上記各特許文献１〜４においても、月の一部のみを１枚の用紙に表示することが開示されているものの、それに続く日にちや週あるいは表示されている日にちや週の前の日にちや週を用紙をめくらずに目視することはできなかった。
【０００６】
したがって本発明は、１枚の用紙に予定やメモを記入できる部分として各日にち部分のスペースを大きくとりつつ、少なくとも１ヶ月の一部を表示するとともに、その用紙をめくらなくても、その月の他の部分をも同一用紙に表示して使い勝手のよい回転式カレンダーを提供することを目的とする。
【課題を解決するための手段】
【０００７】
上記目的を達成するため、本発明は、複数の用紙が重ねられ、回転可能に支持された回転式カレンダーにあって、各用紙の一面にはそれぞれ横方向に伸長する複数の段が設けられ、前記複数の段は、用紙の上下方向に比較的大きなスペースを占める主表示部に属する段と前記上下方向に比較的小さなスペースを占める副表示部に属する段を含み、前記主表示部には、月の一部が表示され、前記副表示部には、当該月の他の部分が表示され、前記主表示部の用紙の上下方向の長さを前記副表示部の上下方向の長さより、２．５倍以上長くしたものである。
【０００８】
すなわち、本発明によれば、複数の用紙が重ねられ、前記複数の用紙の端部の支持部により前記複数の用紙がめくられて回転可能に支持された回転式カレンダーであって、各用紙の一面にはそれぞれ横方向に伸長する複数の段が設けられ、前記複数の段は、用紙の上下方向に比較的大きなスペースを占める主表示部に属する段と前記上下方向に比較的小さなスペースを占める副表示部に属する段を含み、前記主表示部には、月の一部が表示され、前記副表示部には、当該月の他の部分が表示され、前記主表示部の用紙の上下方向の長さが前記副表示部の上下方向の長さより、２．５倍以上長い回転式カレンダーが提供される。
【０００９】
また上記目的を達成するため、本発明は、複数の用紙が重ねられ、回転可能に支持された回転式カレンダーであって、各用紙の一面にはそれぞれ横方向に伸長する複数の段からなる主表示部と副表示部が設けられ、１枚の用紙の主表示部には、月の前半又は後半が、それぞれが３段以下で表示され、上記１枚の用紙の副表示部には、当該月の後半又は前半が、それぞれが３段以下で表示され、前記主表示部の用紙の上下方向の長さが前記副表示部の上下方向の長さより、２．５倍以上長くしたものである。
【００１０】
すなわち、本発明によれば、複数の用紙が重ねられ、前記複数の用紙の端部の支持部により前記複数の用紙がめくられて回転可能に支持された回転式カレンダーであって、各用紙の一面にはそれぞれ横方向に伸長する複数の段からなる主表示部と副表示部が設けられ、１枚の用紙の主表示部には、月の前半又は後半が、それぞれが３段以下で表示され、上記１枚の用紙の副表示部には、当該月の後半又は前半が、それぞれが３段以下で表示され、前記主表示部の用紙の上下方向の長さが前記副表示部の上下方向の長さより、２．５倍以上長い回転式カレンダーが提供される。
【００１１】
また、前記主表示部及び／又は前記副表示部の当該月の日にちが表示されていない部分に、当該月の前月及び／又は翌月の日にちを併せて表示したことは、本発明の好ましい態様である。
【００１２】
また、前記複数の用紙が少なくとも１２枚あり、この１２枚の用紙の最初の用紙の主表示部には１月の一部又は前半が表示され、その下部の副表示部には１月の他の部分又は後半が表示され、その下の用紙の副表示部には１月の一部又は前半が表示され、その下部の主表示部に１月の他の部分又は後半が表示され、その下の用紙の主表示部には２月の一部又は前半が表示され、その下部の副表示部には２月の他の部分又は後半が表示され、順次同様のパターンで各用紙に表示され、１２枚目の用紙の副表示部には６月の一部又は前半が表示され、その下部の主表示部には６月の他の部分又は後半が表示され、１２枚目の用紙の裏面の主表示部には７月の一部又は前半が表示され、その下部の副表示部には７月の他の部分又は後半が表示され、順次同様のパターンで各用紙に表示され、前記最初の用紙の裏面の副表示部には１２月の一部又は前半が表示され、その下部の主表示部には１２月の他の部分又は後半が表示されることは、本発明の好ましい態様である。
【００１３】
また、前記複数の用紙が少なくとも２４枚あり、この２４枚の用紙の最初の用紙の主表示部には１月の一部又は前半が表示され、その下部の副表示部には１月の他の部分又は後半が表示され、その直ぐ下の用紙の副表示部には１月の一部又は前半が表示され、その下部の主表示部に１月の他の部分又は後半が表示され、その直ぐ下の用紙の主表示部には２月の一部又は前半が表示され、その下部の副表示部には２月の他の部分又は後半が表示され、順次同様のパターンで各用紙に表示され、２４枚目の用紙の副表示部には１２月の一部又は前半が表示され、その下部の主表示部には１２月の他の部分又は後半が表示されることは、本発明の好ましい態様である
【００１４】
また、前記主表示部の各段の横であって、当該用紙の余白部分に、当該段が年間における何週目を表示しているのかを示す文字、記号、図形、標識のいずれかを表示したことは、本発明の好ましい態様である。
【００１５】
また、前記各用紙の端部にその用紙の主表示部がどの月の前半あるいは後半を示しているのかを示すインデックスを設けたことは、本発明の好ましい態様である。
【００１６】
また、前記インデックスが月を示す数字と、前半か後半を示す文字、記号、図形あるいは標識のいずれかを含ことは、本発明の好ましい態様である。
【発明の効果】
【００１７】
請求項１に記載の回転式カレンダーは、複数の用紙が重ねられ、前記複数の用紙の端部の支持部により前記複数の用紙がめくられて回転可能に支持された回転式カレンダーであって、各用紙の一面にはそれぞれ横方向に伸長する複数の段からなる主表示部と副表示部が設けられ、１枚の用紙の主表示部には、月の一部が表示され、上記１枚の用紙の副表示部には、当該月の他の部分が表示され、前記主表示部の用紙の上下方向の長さが前記副表示部の上下方向の長さより、２．５倍以上長いので、主表示部には予定なのどのメモを記入するエリアが十分に確保され、かつ、副表示部には、主表示部に表示される月の一部以外のその月の他の部分が表示されるので、月の一部のみ、あるいは前半あるいは後半のみが表示される従来の回転式カレンダーと比較して、用紙をめくらなくても前後するその月の他の部分を目視でき、使い勝手がよいという効果がある
【００１８】
請求項２に記載の回転式カレンダーは、１枚の用紙の１面にスペースの大きい主表示部とスペースの少ない副表示部とを設け、主表示部には、月の前半又は後半が、それぞれが横に伸長する３段以下で表示され、副表示部には、当該月の後半又は前半が、それぞれが横に伸長する３段以下で表示され、主表示部の用紙の上下方向の長さが副表示部の上下方向の長さより、２．５倍以上長くしたカレンダーとしたので、主表示部には予定などのメモを記入するエリアが十分に確保され、かつ、副表示部には、主表示部に表示される月の前半あるいは後半以外のその月の他の部分が表示されるので、月の前半あるいは後半のみが表示される従来の回転式カレンダーと比較して、用紙をめくらなくても前後するその月の他の部分を目視でき、使い勝手がよいという効果がある
【００１９】
請求項３に記載の回転式カレンダーは、用紙の両面を利用して表示しているので、６月が終了した段階で、６月の他の部分又は後半が主表示部に表示されている用紙をめくることにより、自動的に７月の一部又は前半が主表示部に表示されている用紙が露出し、用紙の片面のみを用いる回転式カレンダーと比較すると、用紙の有効利用が可能であり、資源利用の効率を向上させるという効果がある。
【００２０】
請求項４に記載の回転式カレンダーは、各用紙の片面のみを用いているので、単純に１月から１２月に向けて、順次用紙をめくるだけでよく、年の途中で、裏返す必要がないので特に便利である。
【００２１】
請求項５に記載の回転式カレンダーは、主表示部及び／又は副表示部の当該月の日にちが表示されていない部分に、当該月の前月及び／又は翌月の日にちを併せて表示したので、用紙をめくることなく前月や翌月の日にちを目視でき、使い勝手がよく便利である。
【００２２】
請求項６に記載の回転式カレンダーは、主表示部の各段の横であって、当該用紙の余白部分に、当該段が年間における何週目を表示しているのかを示す文字、記号、図形、標識のいずれかを表示したので、主表示部内の所定の週が、年間における何週目に該当しているのかが、一目瞭然であり、年間の通算週を知りたいときに、一々、週を１月から算える手間が省け、ユーザにとって便利である。
【００２３】
請求項７に記載の回転式カレンダーは、どの月の前半か後半かを示すインデックスを設けたので、先の月のカレンダーを見たいときに、１枚ずつ用紙をめくらずに、直接インデックスに従って目的の用紙の前（上）の用紙をまとめてめくることができ、便利である。
【００２４】
請求項８に記載の回転式カレンダーは、インデックスが月を示す数字と、前半か後半を示す記号、図形あるいは標識のいずれかを含むので、どの月の前半か後半かを一目で認識することができ便利であり、かつ現在表示されている日にちや週より先の日にちや週に直ちに移行できるという利便性がある。
【図面の簡単な説明】
【００２５】
【図１】本発明の回転式カレンダーの好ましい実施の形態を示す斜視図である。
【図２】図１の実施の形態において、１月の前半が大きなスペースで表示される用紙の一面が表示されている状体を示す平面図である。
【図３】図２に示す用紙の直ぐ下の用紙の一面が表示されている状体を示す平面図である。
【図４】図３に示す用紙の直ぐ下の用紙の一面が表示されている状体を示す平面図である。
【図５】図３に示す用紙から１０枚下の用紙の一面が表示されている状体を示す平面図である。
【図６】図５示す用紙の裏面が表示されている状体を示す平面図である。
【図７】図６に示す用紙から１１枚下の用紙の一面が表示されている状体を示す平面図である。
【発明を実施するための形態】
【００２６】
以下、図面を参照して本発明の好ましい実施の形態について説明する。
図１は、本発明の回転式カレンダーの好ましい実施の形態を示す斜視図である。この実施の形態は、卓上カレンダーとしての回転式カレンダーであって、回転式カレンダー１０は、台紙１２に複数枚の用紙１４が台紙１２の端部（この実施の形態では上部）に設けられた支持部１６により、回転可能に取り付けられている。支持部１６としては、金属や合成樹脂でできたスパイラル部材やリング部材などが用いられる。なお、本発明は図１の卓上回転式カレンダーの実施の形態により説明するが、壁掛け用の回転式カレンダーにも同様に適用できるものである。
【００２７】
この実施の形態では、複数枚の用紙１４として少なくとも１２枚が重ねられている。この１２枚の一方の面には後述するように１月から６月までのカレンダーが印刷されて表示されている。これらの用紙の他に、年間のカレンダーを表示した用紙、あるいは翌年の年間カレンダーを表示した用紙や、このカレンダーの使用方法や、その他の情報を表示した用紙を併せて重ねることもできる。
【００２８】
図２は、図１の実施の形態において、１月の前半が大きなスペースで表示される用紙の一面が露出して表示されている状体を示す平面図である。すなわち、上記１２枚の用紙の上にそれ以外の用紙がない場合では、１２枚の用紙の最初の用紙、すなわち、図２は、１２枚が重ねられた状体の１枚目の用紙の一面を示している。この用紙は符号１４Ａで示されていて、その一面には、曜日を示す日、月、火などの文字が横一列に表示され、その下部には、それぞれ横方向に伸長する複数の段からなる主表示部１８Ａと副表示部２０Ａが設けられている。この用紙１４Ａは、１月の前半を主表示部１８Ａに表示し、１月の後半を副表示部２０Ａに表示している。主表示部１８Ａと副表示部２０Ａは、それぞれが３段以下で表示されている。この用紙１４Ａでは主表示部１８Ａも副表示部２０Ａも３段ずつとなっている。すなわち、主表示部１８Ａには１月の１日から１６日までの各日にちが３段にて表示され、副表示部２０Ａには１月１７日から３１日までの各日にちが３段で表示されている。ここで、１段とは、紙面上で左右に伸長して、最大７日分（１週間分）の日にちを示す部分、あるいは行のことを指す。したがって、３段では、最大３週間分の日にちが表示可能である。
【００２９】
主表示部１８Ａの日にちの記載がない部分には、その年である「２０１６」や、当該月である「１」などを表示している。また、いずれの表示部１８Ａ、２０Ａも、１日ずつが区画され、日にちを示す数字「１」、「２」、「３」などが記載され、必要に応じて、主表示部１８Ａには六曜、祝日、行事などが表示される。また、主表示部１８Ａの左側の用紙１４Ａの余白には、「第１週」、「第２週」などの文字を表示して、その横の段が年間において何週目を示しているのかを示すことができる。なお、年間における何週目を示しているのかを示すものとして、この実施の形態の文字によるものに限らず、その他の文字、記号、図形、標識などを用いることができる。この余白における週の表示により、例えば後述する図５に示されるように、６月の１２日から始まる週は、年間における第２４週目であることがわかる。また、後述するように、月の前半あるいは後半が、２段で表示できるときは、２段とすることができる。主表示部１８Ａは、予定などのメモを記入できるスペースを十分確保できるよう、副表示部２０Ａに比べて大きなスペースを占めている。具体的には、この実施の形態では、主表示部１８Ａの用紙の上下方向長Ｌ１は９０ｍｍであり、副表示部２０Ａの用紙の上下方向長Ｌ２は８．５ｍｍである。したがって、前者Ｌ１は後者Ｌ２の約１０．６倍ある。
【００３０】
主表示部１８Ａは副表示部２０Ａより大きなスペースを確保する観点から、主表示部１８Ａと副表示部２０Ａの上記長さの比、すなわちスケール比を決定する必要がある。仮に副表示部２０Ａの上記長さを２０ｍｍとすると、その２倍の４０ｍｍを主表示部１８Ａの上記長さとした場合、主表示部１８Ａのスペースが実用可能なレベルで副表示部２０Ａのスペースより大きいとは言えない。そこで仮に副表示部２０Ａの上記長さを２０ｍｍとすると、その２．５倍の５０ｍｍを主表示部１８Ａの上記長さとした場合、主表示部１８Ａのスペースが実用可能なレベルで副表示部２０Ａのスペースより十分大きいと言える。そこで、本発明では、主表示部１８Ａの用紙の上下方向の長さＬ１が副表示部２０Ａの上下方向の長さＬ２より、２．５倍以上長くなるよう設定している。主表示部１８Ａのスペースを副表示部２０Ａより大きく確保するためには、上記長さ比（スケール比）が大きいことが好ましいのである。
【００３１】
図３は、図２に示す用紙の直ぐ下の用紙の一面が表示されている状体を示す平面図である。この用紙１４Ｂの副表示部２０Ｂには１月の前半が表示され、その下部の主表示部１８Ｂには１月の後半が表示されている。すなわち、副表示部２０Ｂには１月の１日から１６日までの各日にちが比較的狭いスペースで３段にて表示され、主表示部１８Ｂには、１月１７日から３１日までの各日にちが比較的広いスペースで３段にて表示されている。
【００３２】
図４は、図３に示す用紙の直ぐ下の用紙の一面が表示されている状体を示す平面図である。この用紙１４Ｃは、最初の用紙１４Ａと同様に主表示部１８Ｃに月の前半を３段以下（この例では２段）で表示し、副表示部２０Ｃに月の後半を３段で表示している。
【００３３】
図５は、図３に示す用紙から１０枚下の用紙の一面が表示されている状体を示す平面図である。すなわち、この用紙１４Ｄには６月の前半と後半が図３の用紙１４Ｂと同様の態様で表示されている。
図６は、図５に示す用紙の裏面が表示されている状体を示す平面図である。この用紙１４Ｄの裏面には、７月の前半と後半が図２の用紙１４Ａと同様の態様で表示されている。
図７は、図６に示す用紙から１１枚下の用紙の一面が表示されている状体を示す平面図である。この用紙１４Ａの裏面には、１２月の前半と後半が図３の用紙１４Ｂと同様の態様で表示されている。
【００３４】
図２に典型的に示されているように、各用紙の端部にはインデックス２２が設けられている、この実施の形態では、各インデックスは、用紙の下端に他の用紙のインデックスと重ならないように下方に伸長した部分として設けられている。各インデックスには、その用紙の当該面がどの月の前半あるいは後半を主表示部に表示しているかを示している。すなわち、１月の前半を主表示部１８Ａに示す用紙１４Ａの一面の下部のインデックスには、数字の１と上向きの三角形である△が表示されていて、この用紙のこの面には１月の前半が主表示部１８Ａに表示されていることを目視で判断できるようにしている。この直ぐ下の用紙１４Ｂの下端のインデックスは、数字の１と下向きの三角形である▽が表示されていて、この用紙のこの面には１月の後半が主表示部１８Ｂに表示されていることを目視で判断できるようにしている。なお、前半後半を示すものとして、この実施の形態の上向きあるいは下向きの三角形に限らず、その他の文字、記号、図形、標識などを用いることができる。したがって、例えば図２の状態にあるとき、４月の後半が主表示部に表示されている用紙に直ちに移行したいときは、４月の前半を示す「４△」のインデックスを持ち上げて、表示させたい用紙の上の用紙までを一括してめくり上げることにより、用紙を一枚ずつめくる手間が省け、便利である。
【００３５】
なお、上記実施の形態では、卓上型の回転式カレンダーとして、用紙が少なくとも１２枚あり、各用紙の両面に印刷した例を説明したが、本発明は、これに限定されることなく、他の態様とすることも可能である。すなわち、例えば用紙が少なくとも２４枚あり、各用紙の片面にのみ印刷し、１月から１２月へ向けて単純に用紙をめくるように構成することもできる。かかるカレンダーは、年の途中でカレンダー全体を裏返す必要がなく、使い勝手がよく便利である。
【００３６】
上記実施の形態では、主表示部も副表示部も３段以下の段数で構成されているが、段数の設定は、これに限るものではない。すなわち、例えば、図２の例で言えば、１月１日から１月９日までの２段を比較的大きなスペースを占める主表示部１８Ａとし、１月１０日から１月３１までの４段を比較的小さなスペースを占める副表示部２０Ａとすることもできる。また、上記実施の形態では、ある月の前半と後半をそれぞれ、主表示部／副表示部のいずれかに表示する例を示しているが、必ずしも１ヶ月を前半と後半に２分する必要はなく、月の一部（例えば、１週間）と当該月の他の部分（例えば３週間や４週間など）に分けて、主表示部と副表示部に（あるいは副表示部と主表示部に）それぞれ表示するようにしてもよい。
【００３７】
また、上記実施の形態では、ある月の前半と後半のみが１枚の用紙の同じ面にスケールを変えて表示されているが、さらに前月及び／又は翌月の一部をも併せて表示するようにすることができる。例えば、図３の場合、１月３１日の右の空欄に２月１日から２月６日も併せて表示したり、図４の場合、１段目に１月２４日から１月３０日も併せて表示することができる。
【産業上の利用可能性】
【００３８】
本発明の回転式カレンダーは、上述のように構成したので月の一部、例えば月の前半又は後半について大きなスペースを確保しつつ，その月の他の部分をも併せて表示しているので、月の半分など月の一部のみを表示する従来の回転式カレンダーに比べて、使い勝手がよく、よって回転式カレンダーを設計、製造するなどの諸産業において有用である。  
【符号の説明】
【００３９】
１０  回転式カレンダー
１２  台紙
１４  重ねられた複数枚の用紙
１４Ａ〜１４Ｆ  各用紙
１６  支持部
１８Ａ〜１８Ｆ  主表示部
２０Ａ〜２０Ｆ  副表示部
２２  インデックス
【要約】
【課題】１枚の用紙に各日にち部分のスペースを大きくとりつつ少なくとも１ヶ月の一部を表示するとともに、その月の他の部分をも同一用紙に表示することで、その用紙をめくらなくても、その月の他の部分を目視することができる使い勝手のよい回転式カレンダーを提供する。
【解決手段】用紙１４Ａの一面にはそれぞれ横方向に伸長する複数の段が設けられ、複数の段は、用紙の上下方向に比較的大きなスペースを占める主表示部１８Ａに属する段と上下方向に比較的小さなスペースを占める副表示部２０Ａとに属する段を含み、主表示部には、月の一部が表示され、副表示部には、当該月の他の部分が表示され、主表示部の用紙の上下方向の長さが副表示部の上下方向の長さより、２．５倍以上長い回転式カレンダーとした。主表示部及び／又は副表示部の当該月の日にちが表示されていない部分に、当該月の前月及び／又は翌月の日にちを併せて表示することもできる。
【選択図】図２【図１】
0005863935.tif 000002
【図２】
0005863935.tif 000003
【図３】
0005863935.tif 000004
【図４】
0005863935.tif 000005
【図５】
0005863935.tif 000006
【図６】
0005863935.tif 000007
【図７】
0005863935.tif 000008